(57)【要約】【課題】屋内側レール及び屋外側レールのいずれか一方をスライド移動する障子の耐風圧性能を向上させることができる建具を提供すること。【解決手段】横枠２１、２２の長さ方向に沿って平行に延びる屋内側レール２１１、２２１及び屋外側レール２１２、２２２を有すると共に、屋内側レール２１１、２２１及び屋外側レール２１２、２２２のいずれか一方のレールに沿ってスライド移動する障子４を備えた建具１であって、障子４の縦框４３は、屋内側レール２１１、２２１及び屋外側レール２１２、２２２のいずれか他方のレールを越えて張り出すと共に、他方のレールを跨ぐように高さ方向に延びる延長部４３２、４３３を有する。【選択図】図３
2019143352.tif 000002
【特許請求の範囲】
【請求項１】
横枠の長さ方向に沿って平行に延びる屋内側レール及び屋外側レールを有すると共に、前記屋内側レール及び前記屋外側レールのいずれか一方のレールに沿ってスライド移動する障子を備えた建具であって、
前記障子の縦框は、前記屋内側レール及び前記屋外側レールのいずれか他方のレールを越えて張り出すと共に、前記他方のレールを跨ぐように高さ方向に延びる延長部を有する、建具。
【請求項２】
前記屋内側レール及び前記屋外側レールのいずれか一方の同一レール上をスライド移動する第１の障子と第２の障子を有し、前記第１の障子と前記第２の障子との突合せ框同士が突き合わされて閉じられるように構成され、
前記第１の障子の前記突合せ框は、前記他方のレールを越えて張り出すと共に、前記第１の障子と前記第２の障子が閉じられたときに前記第２の障子の前記突合せ框の見付け面を覆うように配置される框被覆部を有し、
前記延長部は、前記第１の障子の前記突合せ框に設けられる、請求項１に記載の建具。
【請求項３】
前記第１の障子と前記第２の障子は、前記屋内側レール上をスライド移動し、
前記延長部は、前記屋外側レールを跨ぐように配置される、請求項２に記載の建具。
【発明の詳細な説明】
【技術分野】
【０００１】
本発明は、耐風圧性能を向上させた建具に関する。
【背景技術】
【０００２】
従来、横枠に沿って平行に延びる屋内側レール及び屋外側レールを障子がスライド移動する建具が知られている（例えば、特許文献１参照）。この特許文献１に記載の建具は、４枚の障子を有し、同一レール上を移動する中央の２枚の障子のうちの一方の障子の突合せ框が、他方の障子の突合せ框の外側を覆って呑み込むような形状を有している。
【先行技術文献】
【特許文献】
【０００３】
【特許文献１】実用新案登録第３１７３１６１号公報
【発明の概要】
【発明が解決しようとする課題】
【０００４】
ところで、建具には、屋外側から吹き付ける風に対する耐風圧性能が求められている。従って、屋内側レール及び屋外側レールのいずれか一方をスライド移動する障子を有する建具においても、障子の耐風圧性能を高めることが要望されている。
【０００５】
そこで、本発明は、屋内側レール及び屋外側レールのいずれか一方をスライド移動する障子の耐風圧性能を向上させることができる建具を提供することを目的とする。
【課題を解決するための手段】
【０００６】
（１）  本発明に係る建具は、横枠（例えば、後述の上横枠２１、下横枠２２）の長さ方向に沿って平行に延びる屋内側レール（例えば、後述の屋内側レール２１１、２２１）及び屋外側レール（例えば、後述の屋外側レール２１２、２２２）を有すると共に、前記屋内側レール及び前記屋外側レールのいずれか一方のレールに沿ってスライド移動する障子（例えば、後述の障子４）を備えた建具（例えば、後述の建具１）であって、前記障子の縦框（例えば、後述の突合せ框４３）は、前記屋内側レール及び前記屋外側レールのいずれか他方のレールを越えて張り出すと共に、前記他方のレールを跨ぐように高さ方向に延びる延長部（例えば、後述の延長部４３２、４３３）を有する。
【０００７】
（２）  （１）に記載の建具において、前記屋内側レール及び前記屋外側レールのいずれか一方の同一レール上をスライド移動する第１の障子（例えば、後述の障子４）と第２の障子（例えば、後述の障子５）を有し、前記第１の障子と前記第２の障子との突合せ框（例えば、後述の突合せ框４３、５３）同士が突き合わされて閉じられるように構成され、前記第１の障子の前記突合せ框は、前記他方のレールを越えて張り出すと共に、前記第１の障子と前記第２の障子が閉じられたときに前記第２の障子の前記突合せ框の見付け面（例えば、後述の見付け面５３ａ）を覆うように配置される框被覆部（例えば、後述の框被覆部４３１）を有し、前記延長部は、前記第１の障子の前記突合せ框に設けられることが好ましい。
【０００８】
（３）  （２）に記載の建具において、前記第１の障子と前記第２の障子は、前記屋内側レール上をスライド移動し、前記延長部は、前記屋外側レールを跨ぐように配置されることが好ましい。
【発明の効果】
【０００９】
本発明によれば、屋内側レール及び屋外側レールのいずれか一方をスライド移動する障子の耐風圧性能を向上させることができる建具を提供することができる。
【図面の簡単な説明】
【００１０】
【図１】本発明に係る建具の一実施形態を示す正面図である。
【図２】図１中のＡ−Ａ線に沿う断面図である。
【図３】図２中のＢ−Ｂ線に沿う断面図である。
【発明を実施するための形態】
【００１１】
以下、本発明の実施形態について図面を用いて詳細に説明する。
図１は、本発明に係る建具の一実施形態を示す正面図であり、建具を屋内側から見た状態を示している。図２は、図１中のＡ−Ａ線に沿う断面図である。また、図３は、図２中のＢ−Ｂ線に沿う断面図である。
この建具１は、上横枠２１と下横枠２２と左右一対の縦枠２３、２３とで矩形に枠組みされた枠体２の内側に、４枚の障子３〜６を備えていると共に、４枚の障子３〜６よりも屋外側には、１枚の網戸７を備えている。
【００１２】
障子４、５は、上横枠２１及び下横枠２２の長さ方向に沿って形成された障子用の屋内側レール２１１、２２１にスライド移動可能に取り付けられ、障子３、６は、上横枠２１及び下横枠２２の長さ方向に沿って、屋内側レール２１１、２２１よりも屋外側に平行に配置された障子用の屋外側レール２１２、２２２にスライド移動可能に取り付けられている。網戸７は、上横枠２１及び下横枠２２の最も屋外側に形成された網戸用レール２１３、２２３にスライド移動可能に取り付けられている。
【００１３】
上横枠２１は、主としてアルミ等の金属材により押出し成形されてなるが、図３に示すように、屋内側レール２１１と屋外側レール２１２との間、及び、屋内側レール２１１よりも屋内側に、それぞれ、塩化ビニル等の樹脂材により成形された樹脂枠部２１４、２１５を有している。樹脂枠部２１４、２１５は、上横枠２１の内周側に配置されている。このため、上横枠２１は、優れた断熱性を有する。
【００１４】
また、下横枠２２も、主としてアルミ等の金属材により押出し成形されてなるが、図３に示すように、屋内側レール２１１と屋外側レール２２２との間、及び、屋内側レール２２１よりも屋内側に、それぞれ、塩化ビニル等の樹脂材により成形された樹脂枠部２２４、２２５を有している。樹脂枠部２２４、２２５も、下横枠２２の内周側に配置されている。このため、下横枠２２も、優れた断熱性を有する。
【００１５】
図１、図２は、４枚の障子３〜６が全て閉じられた状態を示している。建具１は、このように４枚の障子３〜６が閉じられることにより、屋内側と屋外側とを隔てるように構成される。４枚の障子３〜６のうち、中央に配置される２枚の障子４、５は、同一の屋内側レール２１１、２２１上を左右にスライド移動するように枠体２に取り付けられている。また、両端に配置される２枚の障子３、６は、同一の屋外側レール２１２、２２２上を左右にスライド移動するように枠体２に取り付けられている。
【００１６】
この建具１は、両端の障子３、６がそれぞれ縦枠２３、２３に突き当てられると共に、これらの障子３、６の屋内側に配置される障子４、５が、建具１の中央部で突き合わされることにより閉じられる。閉じられた状態において、建具１の中央部に、障子４と障子５との突合せ部１０が構成される。この建具１において、中央に配置される２枚の障子４、５のうちの一方（図１における左側）の障子４が、本発明の第１の障子に対応し、他方（図１における右側）の障子５が、本発明の第２の障子に対応する。
【００１７】
障子４は、それぞれ横方向に延びる上框４１と下框４２と、障子４の戸先側（図１における右側）に縦方向に延びる縦框からなる突合せ框４３と、障子４の戸尻側（図１における左側）に縦方向に延びる縦框４４とで矩形に枠組みされた内側に、スペーサＳを挟んで複数枚のガラスＧが収容されている。図３に示すように、障子４の上端部のガイド溝４１１は、上横枠２１の屋内側レール２１１とスライド移動可能に係合し、障子４の下端部のガイド溝４２１は、下横枠２２の屋内側レール２２１とスライド移動可能に係合し、戸車４２２を介して、屋内側レール２２１上に載置されている。
【００１８】
障子５は、それぞれ横方向に延びる上框５１と下框５２と、障子５の戸先側（図１における左側）に縦方向に延びる縦框からなる突合せ框５３と、障子５の戸尻側（図１における右側）に縦方向に延びる縦框５４とで矩形に枠組みされた内側に、スペーサＳを挟んで複数枚のガラスＧが収容されている。障子５の上端部のガイド溝（図示せず）は、上横枠２１の屋内側レール２１１とスライド移動可能に係合し、障子４の下端部のガイド溝（図示せず）は、下横枠２２の屋内側レール２２１とスライド移動可能に係合し、戸車（図示せず）を介して、屋内側レール２２１上に載置されている。
【００１９】
障子３、６は、それぞれ横方向に延びる上框３１、６１と下框３２、６２と、それぞれ縦方向に延びる縦框３３、３４、６３、６４とで矩形に枠組みされた内側に、スペーサＳを挟んで複数枚のガラスＧが収容されている。障子３、６の上端部のガイド溝（図示せず）は、上横枠２１の屋外側レール２１２とスライド移動可能に係合し、障子３、６の下端部のガイド溝（図示せず）は、下横枠２２の屋内側レール２２１とスライド移動可能に係合し、戸車（図示せず）を介して、屋内側レール２２１上に載置されている。
【００２０】
なお、図１において、障子４の突合せ框４３は、障子５の突合せ框５３に隠れて見えていない。中央の障子４と障子５とは、それぞれの突合せ框４３、５３同士が突き合わされることにより閉じられ、中央部で突き合わされた突合せ框４３、５３により、突合せ部１０が構成される。また、図１において、障子３の戸先側（図１における右側）に配置される縦框３３は、障子４の縦框４４に隠れて見えていない。障子６の戸先側（図１における左側）に配置される縦框６３は、障子５の縦框５４に隠れて見えていない。障子３、６のそれぞれ縦框３４、６４の屋内側及び屋外側には、開閉操作のための手掛け部３５、６５が、縦框３４、６４の延び方向（図１における上下方向）に沿って凹設されている。
【００２１】
建具１の縦方向の中ほどには、障子３と障子４とに亘り、及び障子５と障子６とに亘り、それぞれ両者を施錠するクレセント錠８ａ、８ａが取り付けられている。また、障子３、６の下框３２、６２には、それぞれ障子４及び障子５を施錠する補助ロック機構８ｂ、８ｂが取り付けられている。
【００２２】
次に、図２及び図３を参照して、障子４の突合せ框４３と障子６の突合せ框５３とで構成される突合せ部１０の具体的構成について説明する。
図２及び図３に示すように、障子４の戸先側に配置される突合せ框４３は、屋外側に向けて張り出すように形成されている。具体的には、突合せ框４３の屋外側は、屋外側に向けて略垂直方向に張り出すと共に、障子５側（図２における右側）に向けて変位した形状に形成された框被覆部４３１を一体に有している。框被覆部４３１は、突合せ框４３の延び方向（上下方向）に沿って延びており、障子５の突合せ框５３の屋外側の見付け面５３ａの全体を実質的に覆い隠している。これにより、建具１を屋外側から観察した場合、突合せ部１０の幅は、実質的に障子４の突合せ框４３（框被覆部４３１）の屋外側の見付け面４３ａだけの細幅状となり、建具１の意匠性向上が図られる。
【００２３】
障子４の戸尻側の縦框４４は、屋内側に向けて張り出す形状に形成されている。具体的には、縦框４４は、突合せ框４３とは逆に、屋内側に向けて略垂直方向に突出して張り出している。この縦框４４は、障子３の縦框３３とオーバーラップする位置に配置されることにより、障子３の縦框３３を屋内側から覆い隠すように配置されている。
【００２４】
一方、障子５の戸先側に配置される突合せ框５３は、障子４の突合せ框４３とは逆に、屋内側に向けて張り出す形状に形成されている。具体的には、突合せ框５３は、屋内側に向けて略垂直方向に突出するように張り出している。また、突合せ框５３の屋内側は、張り出した部位が、障子４の突合せ框４３の屋内側の見付け面４３ｂを覆うように、障子４側（図２における左側）に変位した形状に形成されている。
【００２５】
障子５の戸尻側の縦框５４も、突合せ框５３と同様に、屋内側に向けて張り出す形状に形成されている。具体的には、縦框５４は、突合せ框５３と同様に、屋内側に向けて略垂直方向に突出するように張り出している。この障子５の縦框５４は、障子６の縦框６３とオーバーラップする位置に配置されることにより、障子６の縦框６３を屋内側から覆い隠すように配置されている。
【００２６】
障子４の突合せ框４３において、框被覆部４３１は、屋外側レール２１２、２２２を越えて更に屋外側に張り出している。框被覆部４３１の上下両端部は、屋外側レール２１２、２２２を跨ぐように配置される高さ方向の延長部４３２、４３３を有している。具体的には、延長部４３２、４３３は、框被覆部４３１の上下両端部に、それぞれ上横枠２１及び下横枠２２に向けて上下方向に延びるように形成されている。
【００２７】
図３に示すように、上側の延長部４３２は、上横枠２１に設けられる屋外側レール２１２の下端部２１２ａよりも更に上方に延びている。延長部４３２は、屋外側レール２１２よりも屋外側に配置される屋外側延長部４３２ａと、屋外側レール２１２よりも屋内側に配置される屋内側延長部４３２ｂと、を有している。このため、延長部４３２は、屋外側延長部４３２ａと屋内側延長部４３２ｂとの間に、断面略コ字状又は断面略Ｕ字状の溝部４３４を有し、この溝部４３４内に、屋外側レール２１２の下端部２１２ａを収容することにより、屋外側レール２１２を屋内側及び屋外側から挟むように収容している。
【００２８】
一方、下側の延長部４３３は、下横枠２２に設けられる屋外側レール２２２の上端部２２２ａよりも更に下方に延びている。延長部４３３は、屋外側レール２２２よりも屋外側に配置される屋外側延長部４３３ａと、屋外側レール２２２よりも屋内側に配置される屋内側延長部４３３ｂと、を有している。このため、延長部４３３は、屋外側延長部４３３
ａと屋内側延長部４３３ｂとの間に、断面略コ字状又は断面略Ｕ字状の溝部４３５を有し、この溝部４３５内に、屋外側レール２２２の上端部２２２ａを収容することにより、屋外側レール２２２を屋内側及び屋外側から挟むように収容している。
【００２９】
従って、この障子４は、風圧を受けた際に、突合せ框４３の延長部４３２、４３３が屋外側レール２１２、２２２と接触して係合するので、見込み方向（屋内外方向、図３における左右方向）の強度を高めることができる。具体的には、障子４が屋外側から屋内側へ向けた風圧（正圧）を受けた場合は、障子４が僅かに屋内側に変位することにより、延長部４３２、４３３のうちの屋外側延長部４３２ａ、４３３ａが、屋外側レール２１２、２２２と接触して係合し、障子４が屋内側から屋外側へ向けた風圧（負圧）を受けた場合は、障子４が僅かに屋外側に変位することにより、延長部４３２、４３３のうちの屋内側延長部４３２ｂ、４３３ｂが、屋外側レール２１２、２２２と接触して係合し、それぞれ風圧を受け止めるように機能する。このため、障子４は、正負のいずれの風圧に対しても耐風圧性能を高めることができる。
【００３０】
また、本実施形態のように、障子４と障子５とが、建具１の中央部で突き合わされるように構成される場合、障子４の見込み方向の強度が高められる結果、もう一方の障子５の見込み方向の強度を補うことができるため、建具１の全体としての耐風圧性能を向上させることができる。
【００３１】
なお、風圧を受けていない平常時においては、図３に示すように、延長部４３２、４３３の溝部４３４、４３５は、屋外側レール２１２、２２２とは接触していない。このため、平常時において、延長部４３２、４３３が、障子４のスライド操作に影響を及ぼすことはない。
【００３２】
以上の実施形態では、障子４が屋内側レール２１１、２２１上をスライド移動し、延長部４３２、４３３を有する突合せ框４３が、屋外側レール２１２、２２２を跨ぐように配置されているが、障子４が屋外側レール２１２、２２２上をスライド移動し、延長部４３２、４３３を有する突合せ框４３が、屋内側レール２１１、２２１を跨ぐように配置されてもよい。
【００３３】
また、本実施形態では、障子４、５の突合せ框４３、５３は、一方が他方を呑み込む構造とするものにかぎらず、単に突き合わされる構造であってもよい。この場合は、障子４、５の突合せ框４３、５３をそれぞれ屋外側レール２１２、２２２側に張り出させ、それぞれに延長部を設けるようにしてもよい。
【００３４】
図１に示した建具１の両端に配置される障子３、６は、枠体２に移動不能に固定されていてもよい。また、本発明の建具は、屋内側レール２１１、２２１と屋外側レール２１２、２２２とにそれぞれ２枚ずつの障子４、５と障子３、６がスライド移動可能に設けられる建具１に限定されず、屋内側と屋外側のいずれか一方のレール上をスライド移動する障子を有する建具であればよい。従って、本発明の建具は、例えば障子４、５の２枚のみであってもよい。この場合、屋外側レール２１２、２２２は、延長部４３２、４３３が跨るためだけの機能を有するものであってもよい。
【００３５】
本発明における延長部は、上側の延長部４３２又は下側の延長部４３３のいずれか一方だけでもよい。また、延長部を有する縦框は、障子の戸先側に限らず、戸尻側でもよく、戸先側と戸尻側の両方に設けられてもよい。
【符号の説明】
【００３６】
１  建具
２１  上横枠（横枠）
２２  下横枠（横枠）
２１１、２２１  屋内側レール
２１２、２２２  屋外側レール
４  障子（第１の障子）
４３  突合せ框（縦框）
４３１  框被覆部
４３２、４３３  延長部
５  障子（第２の障子）
５３  突合せ框
５３ａ  見付け面（第２の障子の突合せ框の見付け面）
【図１】
2019143352.tif 000003
【図２】
2019143352.tif 000004
【図３】
2019143352.tif 000005